(57)【要約】  モジュール式ホーン型スピーカ、およびモジュール式スピーカから形成されたモジュール式ホーンアレイ。音響ホーンは第１の音響モジュールを含む。第１の音響モジュールは、第１の音響ドライバと、第１の音響ドライバからの音響エネルギーを導くための第１の音響ダクトとを含む。第１の音響ダクトは、音響エネルギーを放射する第１の開口を有する。第１の音響ダクトは、第１の中心線によって特徴づけられる。第２の音響モジュールは、第２の音響ドライバと、同音響ドライバからの音響エネルギーを導くための第２の音響ダクトとを含む。第２の音響ダクトは、音響エネルギーを放射する第２の開口を有する。第２の音響ダクトは、第２の中心線によって特徴づけられる。第１のモジュールおよび第２のモジュールは、第１の開口と第２の開口が実質的に連続した回折溝を形成するように整列するように、且つ、第１の中心線及び第２の中心線が、円弧に対して垂直であり、複数の角度のうち第１の角度で交差するように、所定の位置に配置されて保持されるように構成される。
2013542463.tif 000002
【特許請求の範囲】
【請求項１】
第１の音響ドライバ、および
前記第１の音響ドライバからの音響エネルギーを導くための第１の音響ダクトであって、音響エネルギーを放射する第１の開口を有し、第１の中心線によって特徴づけられる第１の音響ダクト、
を備える第１の音響モジュールと、
第２の音響ドライバ、および
前記第２の音響ドライバからの音響エネルギーを導くための第２の音響ダクトであって、音響エネルギーを放射する第２の開口を有し、第２の中心線によって特徴づけられる第２の音響ダクト、
を備える第２の音響モジュールと、
を備える第１の音響ホーンを備える装置であって、
前記第１の音響モジュールおよび前記第２の音響モジュールは、前記第１の開口及び前記第２の開口が実質的に連続した回折溝を形成するように整列するように、且つ、前記第１の中心線及び前記第２の中心線が、円弧に対して垂直であり、且つ複数の角度のうち第１の角度で交差するように、所定の位置に配置されて保持されるように構成される装置。
【請求項２】
追加の複数の音響モジュールをさらに備え、
前記追加の複数の音響モジュールのそれぞれが音響ドライバおよび音響ダクトを備え、
前記音響ダクトのそれぞれが音響エネルギーを放射する開口を有し、前記音響ダクトのそれぞれが中心線によって特徴づけられ、
前記追加の複数の音響モジュールのそれぞれは、前記追加の複数の音響モジュールのそれぞれの前記開口が前記複数の音響モジュールの他のものの前記開口と整列するように、且つ、実質的に連続した回折溝を形成するために前記第１の音響モジュールおよび前記第２の音響モジュールの前記開口と整列するように、所定の位置に配置されて保持されるように構成される、請求項１に記載の装置。
【請求項３】
前記第１の音響モジュール、前記第２の音響モジュール、および前記追加の複数のモジュールが実質的に同一である、請求項２に記載の装置。
【請求項４】
前記追加の複数の音響モジュールは、前記追加の複数のモジュールの前記中心線が前記複数の角度のうちの前記１つの角度で交差するように、所定の位置に配置されて保持されるように構成される、請求項２に記載の装置。
【請求項５】
前記第１の音響モジュールおよび前記第２の音響モジュールが実質的に同一である、請求項１に記載の装置。
【請求項６】
前記第１の音響モジュール及び前記第２の音響モジュールが少なくとも１つの軸のまわりに非対称であり、前記第１の音響モジュールが、前記第２の音響モジュールに対して前記軸のまわりで１８０度回転して配向される、請求項５に記載の装置。
【請求項７】
前記第１の開口の面及び前記第２の開口の面が第１の角度で交差し、
第３の音響ドライバ、および
前記第３の音響ドライバからの音響エネルギーを導くための第３の音響ダクトであって、音響エネルギーを放射する第３の開口を有し、第３の中心線によって特徴づけられる第３の音響ダクト、
を備える第３の音響モジュールと、
第４の音響ドライバ、および
前記音響ドライバからの音響エネルギーを導くための第４の音響ダクトであって、音響エネルギーを放射する第４の開口を有し、第４の中心線によって特徴づけられる第４の音響ダクト、
を備える第４の音響モジュールと、
を備える第２の音響ホーンをさらに備え、
前記第３の音響モジュールおよび前記第４の音響モジュールは、前記第３の開口と前記第４の開口が実質的に連続した回折溝を形成するために整列されるように、且つ、前記第３の中心線及び前記第４の中心線が、円弧に対して垂直であり、且つ、前記第１の角度と異なる別の第２の角度で交差するように、所定の位置に配置されて保持されるように構成される、請求項１に記載の装置。
【請求項８】
前記第１の音響ホーンおよび前記第２の音響ホーンは、前記第１の音響ホーンの回折溝および前記第２の音響ホーンの回折溝が、一方の音響ホーンの頂部と他方の音響ホーンの底部を組み合わせた厚さより実質的に大きな間隙がない状態で、組合せ回折溝を形成するために整列されるように配置される、請求項７に記載の装置。
【請求項９】
前記第１の音響モジュール、前記第２の音響モジュール、前記第３の音響モジュール、および前記第４の音響モジュールが実質的に同一である、請求項７に記載の装置。
【請求項１０】
前記第１の音響ホーンが、頂部および底部をさらに備え、
前記装置は、前記中心線が前記複数の角度のうち前記第１の角度で交差するとき用いられる前記頂部および底部が、前記中心線が前記複数の角度のうち別の角度で交差するとき用いられる前記頂部および底部と同一のものであるように構成される、請求項１に記載の装置。
【請求項１１】
第１の音響ドライバ、および
前記第１の音響ドライバからの音響エネルギーを導くための第１の音響ダクトであって、音響エネルギーを放射する細長い平面状の第１の開口を有する第１の音響ダクト、
を備える第１の音響モジュールと、
第２の音響ドライバ、および
前記第２の音響ドライバからの音響エネルギーを導くための第２の音響ダクトであって、音響エネルギーを放射する細長い平面状の第２の開口を有する第２の音響ダクト
を備える第２の音響モジュールと、
を備える第１の音響ホーンを備える装置であって、
前記第１の音響モジュールおよび前記第２の音響モジュールは、前記第１の細長い平面状の開口と前記第２の細長い平面状の開口が、実質的に連続した回折溝を形成するために延長の方向に整列されるように、且つ、前記第１の細長い平面状の開口の面が、前記第２の細長い平面状の開口の面と、複数の角度のうち任意の角度で交差するように、配置されるように構成され、
前記装置が、前記第１の音響モジュール及び前記第２の音響モジュールを所望の位置および配向に保持するためのブラケットをさらに備える、装置。
【請求項１２】
追加の複数の音響モジュールをさらに備え、
前記追加の複数の音響モジュールのそれぞれが音響ドライバおよび音響ダクトを備え、
前記音響ダクトのそれぞれが音響エネルギーを放射する細長い平面状の開口を有し、
前記追加の複数の音響モジュールは、前記追加の複数の音響モジュールのそれぞれの前記開口が、前記複数の音響モジュールの他のものの前記開口と延長の方向に整列するように配置されるために、且つ、実質的に連続した回折溝を形成するために、前記第１の音響モジュールおよび前記第２の音響モジュールの前記開口と延長の方向に整列するように配置されるために、構成される、請求項１１に記載の装置。
【請求項１３】
前記第１の音響モジュール、前記第２の音響モジュール、および前記複数の追加の音響モジュールが実質的に同一である請求項１２に記載の装置。
【請求項１４】
前記追加の複数の音響モジュールは、前記細長い開口の面が、隣接した音響モジュールの前記細長い開口の面と、前記複数の角度のうちの１つで交差するように配置されるように構成される請求項１２に記載の装置。
【請求項１５】
前記第１の音響モジュールおよび前記第２の音響モジュールが実質的に同一である、請求項１１に記載の装置。
【請求項１６】
前記第１の音響モジュール及び前記第２の音響モジュールが少なくとも１つの軸のまわりに非対称であり、前記第１の音響モジュールが、前記第２の音響モジュールに対して前記軸のまわりで１８０度回転して配向される、請求項１５に記載の装置。
【請求項１７】
前記第１の細長い平面状の開口の面と前記第２の細長い平面状の開口の面が、前記複数の角度のうち第１の角度で交差し、
第３の音響ドライバ、および
前記第３の音響ドライバからの音響エネルギーを導くための第３の音響ダクトであって、音響エネルギーを放射する細長い平面状の第３の開口を有する第３の音響ダクト、
を備える第３の音響モジュールと、
第４の音響ドライバ、および
前記第４の音響ドライバからの音響エネルギーを導くための第４の音響ダクトであって、音響エネルギーを放射する細長い平面状の第４の開口を有する第４の音響ダクトと
を備える第４の音響モジュールと、
を備える第２の音響ホーン
をさらに備え、
前記第３の音響モジュールおよび前記第４の音響モジュールは、前記第３の開口及び前記第４の開口が、実質的に連続した回折溝を形成するために延長の方向に整列されるように配置されるために、且つ、前記第３の細長い平面状の開口の面が、前記第４の細長い平面状の開口の面と、前記複数の角度のうち前記第１の角度と異なる第２の角度で交差するように、配置されるために構成される、請求項１１に記載の装置。
【請求項１８】
前記第１の音響ホーンおよび前記第２の音響ホーンは、前記第１の音響ホーンの回折溝および前記第２の音響ホーンの回折溝が、一方の音響ホーンの頂部と他方の音響ホーンの底部を組み合わせた厚さより実質的に大きな間隙がない状態で、組合せ回折溝を形成するために整列されるように配置される、請求項１７に記載の装置。
【請求項１９】
前記第１の音響モジュール、前記第２の音響モジュール、前記第３の音響モジュール、および前記第４の音響モジュールが実質的に同一である、請求項１７に記載の装置。
【請求項２０】
頂部および底部をさらに備え、
前記装置は、前記面が前記複数の角度のうちの１つで交差するとき用いられる前記頂部および底部が、前記面が前記複数の角度のうち別の角度で交差するとき用いられ得るように構成される、請求項２０に記載の装置。
【請求項２１】
スピーカアレイを形成する方法であって、
第１の複数の音響ホーンから少なくとも２つの音響ホーンを用意するステップであって、前記複数の音響ホーンのそれぞれが、平面状の頂面を有する頂部と平面状の底面を有する底部とを有し、前記頂部および底部が厚さによって特徴づけられ、前記複数のホーンのそれぞれが別々の垂直の分散角を有し、各ホーンが回折溝を備えるステップと、
１つの音響ホーンの頂面が、隣接した音響ホーンの底面に対して平行に平面接触するように、且つ、前記ホーン回折溝が、前記１つのホーンの前記頂部および前記隣接した音響ホーンの前記底部を組み合わせた厚さより実質的に大きくない間隙を有するアレイ回折溝を形成するために整列されるように、前記複数の音響ホーンを配置するステップと、
を含む、スピーカアレイを形成する方法。
【請求項２２】
前記用意するステップが、
第１の複数の実質的に同じ音響モジュールから第１の音響ホーンを形成するステップであって、各モジュールが、音響ドライバと開口を有する音響ダクトとを備え、各音響ダクトが中心線によって特徴づけられる、第１の音響ホーンを形成するステップにおいて、
前記中心線が第１の円弧に対して垂直であり、且つ、ある角度で交差するように、且つ、前記開口が、前記第１の音響ホーン回折溝を形成するために整列されるように、前記第１の複数の音響モジュールを配置するステップを含む、第１の音響ホーンを形成するステップと、
前記第１の複数の音響モジュールと実質的に同一の第２の複数の音響モジュールから第２の音響ホーンを形成するステップであって、各モジュールが、音響ドライバと開口を有する音響ダクトとを備え、各音響ダクトが中心線によって特徴づけられる、第２の音響ホーンを形成するステップにおいて、
前記中心線が第２の円弧に対して垂直になるように、且つ、前記開口が、前記第２の音響ホーン回折溝を形成するために整列されるように、前記第２の複数の音響モジュールを配置するステップを含む、第２の音響ホーンを形成するステップと、
を含む、請求項２１に記載の方法。
【請求項２３】
前記第１の音響ホーンを形成するステップは、前記中心線が複数の角度のうち第１の角度で交差するように、前記第１の複数の音響モジュールを配置するステップをさらに含む、請求項２２に記載の方法。
【請求項２４】
前記第２の音響ホーンを形成するステップは、前記中心線が前記複数の角度のうち前記第１の角度と異なる別の第２の角度で交差するように、前記第２の複数の音響モジュールを配置するステップを含む、請求項２３に記載の方法。
【発明の詳細な説明】
【技術分野】
【０００１】
本明細書は、モジュール式ホーン型スピーカおよびモジュール式ホーン型スピーカを用いて形成されたホーンスピーカアレイを説明する。
【先行技術文献】
【特許文献】
【０００２】
【特許文献１】米国特許出願第１２／４９０４６３号
【特許文献２】米国特許出願第１２／５５７，８８５号
【発明の概要】
【課題を解決するための手段】
【０００３】
一態様では、装置は第１の音響ホーンを含む。第１のホーンは、第１の音響モジュールを含む。第１の音響モジュールは、第１の音響ドライバと、第１の音響ドライバからの音響エネルギーを導くための第１の音響ダクトとを含む。第１の音響ダクトは、音響エネルギーを放射する第１の開口を有する。第１の音響ダクトは、第１の中心線によって特徴づけられる。この装置は、第２の音響モジュールも含む。第２のモジュールは、第２の音響ドライバと、同音響ドライバからの音響エネルギーを導くための第２の音響ダクトとを含む。第２の音響ダクトは、音響エネルギーを放射する第２の開口を有する。第２の音響ダクトは、第２の中心線によって特徴づけられる。第１のモジュールおよび第２のモジュールは、第１の開口と第２の開口が実質的に連続した回折溝を形成するように整列するように、且つ、第１の中心線と第２の中心線が、円弧に対して垂直であり、且つ、複数の角度のうち第１の角度で交差するように、所定の位置に配置されて保持されるように構成される。この装置は、追加の複数の音響モジュールを含んでよい。追加の音響モジュールのそれぞれが、音響ドライバおよび音響ダクトを含んでよい。各ダクトが、音響エネルギーを放射する開口を含んでよい。各ダクトが、中心線によって特徴づけられてよい。追加の複数の音響モジュールのそれぞれは、追加の複数の音響モジュールのそれぞれの開口が複数の音響モジュールの他のものの開口と整列するように、且つ、実質的に連続した回折溝を形成するために第１および第２の音響モジュールの開口と整列するように、所定の位置に配置されて保持されるように構成されてよい。第１のモジュール、第２のモジュール、および複数の追加のモジュールは、実質的に同一のものでよい。追加の複数の音響モジュールは、追加の複数のモジュールの中心線が複数の角度のうちの１つで交差するように、所定の位置に配置されて保持されるように構成されてよい。第１のモジュール及び第２のモジュールは、実質的に同一のものでよい。第１のモジュール及び第２のモジュールは、少なくとも１つの軸のまわりに非対称でよく、第１のモジュールは、第２のモジュールに対して軸のまわりで１８０度回転して配向されてよい。第１の開口及び第２の開口の面は第１の角度で交差してよく、この装置は第２の音響ホーンをさらに含んでよい。第２の音響ホーンは、第３の音響モジュールを含んでよい。第３の音響モジュールは、第３の音響ドライバと、第３の音響ドライバからの音響エネルギーを導くための第３の音響ダクトとを含んでよい。第３の音響ダクトは、音響エネルギーを放射する第３の開口を有してよい。第３の音響モジュールは、第３の中心線によって特徴づけられてよい。第２の音響ホーンは、第４の音響モジュールを含んでよい。第４の音響モジュールは、第４の音響ドライバおよび第４の音響ドライバからの音響エネルギーを導くための第４の音響ダクトを含んでよい。第４の音響ダクトは、音響エネルギーを放射する第４の開口を有してよい。第４の音響ダクトは、第４の中心線によって特徴づけられてよい。第３のモジュールおよび第４のモジュールは、第３の開口と第４の開口が実質的に連続した回折溝を形成するために整列するように、且つ、第３の中心線と第４の中心線が円弧に対して垂直であるように、且つ、第３の中心線と第４の中心線が、第１の角度と異なる第２の角度で交差するように、所定の位置に配置されて保持されるように構成されてよい。第１の音響ホーンおよび第２の音響ホーンは、第１のホーンの回折溝と第２のホーンの回折溝が、一方の音響ホーンの頂部と他方の音響ホーンの底部を組み合わせた厚さより実質的に大きな間隙がない状態で、組合せ回折溝を形成するために整列するように配置されてよい。第１のモジュール、第２のモジュール、第３のモジュールおよび第４のモジュールは、実質的に同一のものでよい。第１の音響ホーンは、頂部および底部をさらに含んでよい。この装置は、中心線が複数の角度のうち第１の角度で交差するとき用いられる頂部および底部が、中心線が複数の角度のうち別の角度で交差するとき用いられる頂部および底部と同一のものであるように構成されてよい。
【０００４】
別の態様では、この装置は第１の音響ホーンを含む。第１の音響ホーンは、第１の音響モジュールを含む。第１の音響モジュールは、第１の音響ドライバと、第１の音響ドライバからの音響エネルギーを導くための第１の音響ダクトとを含む。第１の音響ダクトは、音響エネルギーを放射する第１の細長い平面状の開口を有する。この装置は、第２の音響モジュールをさらに含む。第２の音響モジュールは、第２の音響ドライバと、同音響ドライバからの音響エネルギーを導くための第２の音響ダクトとを含んでよい。第２の音響ダクトは、音響エネルギーを放射する第２の細長い平面状の開口を有してよい。第１のモジュールおよび第２のモジュールは、第１の細長い平面状の開口と第２の細長い平面状の開口が、実質的に連続した回折溝を形成するために延長の方向に整列するように、且つ、第１の細長い平面状の開口の面が、第２の細長い平面状の開口の面と、複数の角度のうち任意の角度で交差するように、配置されるように構成されてよい。この装置は、音響モジュールを所望の位置および配向に保持するためのブラケットをさらに含む。この装置は、追加の複数の音響モジュールをさらに含んでよい。追加の音響モジュールのそれぞれが、音響ドライバおよび音響ダクトを含んでよい。各ダクトが、音響エネルギーを放射する細長い平面状の開口を有してよい。追加の複数の音響モジュールのそれぞれは、追加の複数の音響モジュールのそれぞれの開口が複数の音響モジュールの他のものの開口と延長の方向に整列するように、且つ、第１および第２の音響モジュールの開口が実質的に連続した回折溝を形成するように、配置されるように構成されてよい。第１のモジュール、第２のモジュール、および複数の追加のモジュールは、実質的に同一のものでよい。追加の複数の音響モジュールは、細長い開口の面が、隣接した音響モジュールの細長い開口の面と、複数の角度のうちの１つで交差するように配置されるように構成されてよい。第１のモジュールと第２のモジュールは、実質的に同一のものでよい。第１のモジュールと第２のモジュールは、少なくとも１つの軸のまわりに非対称でよく、第１のモジュールは、第２のモジュールに対して軸のまわりで１８０度回転して配向されてよい。第１の細長い平面状の開口の面及び第２の細長い平面状の開口の面は、複数の角度のうち第１の角度で交差してよい。この装置は、第２の音響ホーンをさらに含んでよい。第２の音響ホーンは、第３の音響モジュールを含んでよい。第３の音響モジュールは、第３の音響ドライバと、第３の音響ドライバからの音響エネルギーを導くための第３の音響ダクトとを含んでよい。第３の音響ダクトは、音響エネルギーを放射する第３の細長い平面状の開口を有してよい。この装置は、第４の音響ドライバおよび第４の音響ドライバからの音響エネルギーを導くための第４の音響ダクトを含む第４の音響モジュールを含んでよい。第４の音響ダクトは、音響エネルギーを放射する第４の細長い平面状の開口を有してよい。第３のモジュールおよび第４のモジュールは、第３の開口と第４の開口が、実質的に連続した回折溝を形成するために延長の方向に整列するように、また、第３の細長い平面状の開口の面が、第４の細長い平面状の開口の面と、複数の角度のうち第１の角度と異なる別の第２の角度で交差するように、配置されるように構成されてよい。第１の音響ホーンおよび第２の音響ホーンは、第１のホーンの回折溝及び第２のホーンの回折溝が、一方の音響ホーンの頂部と他方の音響ホーンの底部を組み合わせた厚さより実質的に大きな間隙がない状態で、組合せ回折溝を形成するために整列するように配置されてよい。第１のモジュール、第２のモジュール、第３のモジュール、および第４のモジュールは、実質的に同一のものでよい。この装置は、頂部および底部をさらに含んでよい。この装置は、これらの面が複数の角度のうちの１つで交差するとき用いられる頂部および底部が、これらの面が複数の角度のうち別の角度で交差するとき用いられ得るように構成されてよい。
【０００５】
別の態様では、スピーカアレイを形成する方法は、それぞれが平面状の頂面を有する頂部および平面状の底面を有する底部を有する第１の複数の音響ホーンから少なくとも２つの音響ホーンを用意するステップを含む。頂部および底部は、厚さによって特徴づけられる。複数のホーンのそれぞれが、別々の垂直の分散角を有する。各ホーンが回折溝を含む。この方法は、１つの音響ホーンの頂面が、隣接した音響ホーンの底面に対して平行に平面接触するように、これら複数のホーンを配置するステップをさらに含む。ホーン回折溝は、整列して、１つのホーンの頂部と、隣接した音響ホーンの底部とを組み合わせた厚さより実質的に大きくない間隙を有するアレイ回折溝を形成する。この用意するステップは、第１の複数の実質的に同じ音響モジュールから第１の音響ホーンを形成するステップを含んでよい。各モジュールは、音響ドライバと、開口を有する音響ダクトとを含んでよい。各音響ダクトは、中心線によって特徴づけられてよい。この形成するステップは、中心線が、第１の円弧に対して垂直になって、ある角度で交差するように、また、開口が整列して第１の音響ホーン回折溝を形成するように、第１の複数の音響モジュールを配置するステップを含んでよい。この方法は、第１の複数の音響モジュールと実質的に同一の第２の複数の音響モジュールから第２の音響ホーンを形成するステップをさらに含んでよい。各モジュールは、音響ドライバと、開口を有する音響ダクトとを含んでよい。各音響ダクトは、中心線によって特徴づけられてよい。この形成するステップは、中心線が第２の円弧に対して垂直であり、且つ、開口が整列して第２の音響ホーン回折溝を形成するように、第２の複数の音響モジュールを配置するステップを含む。第１の音響ホーンを形成するステップは、中心線が、複数の角度のうち第１の角度で交差するように、第１の複数の音響モジュールを配置するステップをさらに含んでよい。第２の音響ホーンを形成するステップは、中心線が、複数の角度のうち第１の角度と異なる別の第２の角度で交差するように、第２の複数の音響モジュールを配置するステップを含んでよい。
【０００６】
以下の詳細な説明を以下の図面と関連して解読すれば、他の特徴、目的、および利点が明らかになるであろう。
【図面の簡単な説明】
【０００７】
【図１】音響ホーンの３つの概略平面図である。
【図２】音響ダクトの概略の等角斜視図である。
【図３】音響ホーンアレイの２つの図である。
【図４】ホーンの１つの態様を示す、音響ホーンおよびホーンアレイの概略側面図である。
【図５】ホーンの別の態様を示す、音響ホーンおよびホーンアレイの概略側面図である。
【図６】ホーンの別の態様を示す、音響ホーンおよびホーンアレイの概略側面図である。
【図７】ホーンの別の態様を示す、音響ホーンおよびホーンアレイの概略側面図である。
【図８Ａ】ホーンの別の態様を示す、音響ホーンおよびホーンアレイの概略側面図である。
【図８Ｂ】図８Ａの音響ホーンの態様について説明するための、幾何学的な要素の図である。
【図９】音響ホーンアレイの概略側面図である。
【図１０】音響ホーンアレイの概略側面図である。
【図１１】音響ホーンの概略の上面図および側面図である。
【図１２】音響ホーンの概略上面図である。
【図１３】音響ホーンの概略上面図である。
【図１４】２つの音響モジュールを含む組立体の前部の等角斜視図である。
【図１５】音響モジュールの等角斜視図である。
【図１６】６つの音響ドライバおよび６つの音響ダクトを含む組立体の前部の平面図である。
【図１７】６つの音響ドライバおよび６つの音響ダクトを含む組立体の後部の平面図である。
【図１８Ａ】６つの音響モジュールを含む組立体の側面図である。
【図１８Ｂ】６つの音響モジュールを含む組立体の側面図である。
【図１８Ｃ】６つの音響モジュールを含む組立体の側面図である。
【図１８Ｄ】６つの音響モジュールを含む組立体の側面図である。
【図１８Ｅ】６つの音響モジュールを含む組立体の側面図である。
【図１９Ａ】６つの音響モジュールを含む組立体の等角斜視図である。
【図１９Ｂ】６つの音響モジュールを含む組立体の等角斜視図である。
【図２０】６つの音響モジュールおよびホーン側壁を含む組立体の上面図である。
【図２１】６つの音響モジュールおよびホーン側壁を含む組立体の後部の等角斜視図である。
【図２２】音響ホーンの等角斜視図である。
【図２３】音響ホーンのいくつかの要素を含む組立体の等角斜視図である。
【図２４】音響ホーンのいくつかの要素を含む組立体の等角斜視図である。
【発明を実施するための形態】
【０００８】
図１は、本明細書で用いられる用語のいくつかについて説明するためのホーン型スピーカ１０を示す。以下の説明では座標系を用いることになる。矢印２８によって示される意図された放射の方向は、Ｙ軸に沿ったものである。Ｘ軸は、図１の方向のスピーカに対して水平であり、且つＹ軸に対して垂直である。また、直立したＺ軸は、Ｙ軸とＸ軸によって定義された面に対して垂直である。「前方」および「前」などは、Ｙ軸に沿って＋の方向の位置または方向を表すことになる。「後方」、「後」および「背後」などは、Ｙ軸に沿って−の方向の位置または方向を表すことになる。「左方」および「左」などは、Ｘ軸に沿って−の方向を表すことになる。「右方」および「右」などは、Ｘ軸に沿って＋の方向を表すことになる。「上」または「上方」はＺ軸に沿って＋の方向を指すことになり、「下」または「下方」はＺ軸に沿って−の方向を指すことになる。「幅」はＸ軸に沿った寸法を表し、「高さ」はＺ軸に沿った寸法を表し、「深さ」はＹ軸に沿った寸法を表す。これらの軸は、空間におけるホーンスピーカの配向にかかわらず、ホーンスピーカに対して定義される。
【０００９】
図１はホーンスピーカ１０の概略図である。複数の音響ドライバ１２、この実例では４つの音響ドライバ１２が、音響ダクト１６によって音響ホーン１５のスロート１３に音響学的に結合されている。ダクトの出口端（すなわちスロートに音響学的に結合されているダクトの端）は、スロート１３に対して機械的に直接結合されてよい。あるいは、ダクトの出口端は、スロート１３に音響学的に結合されているマニホールドに結合されてもよい。ダクトの出口端は延長されてよい。音響ダクトの細長い出口開口またはマニホールドの出口は、スロートで延長の方向に整列して回折溝を形成してよい。音響ホーン１５は、ホーンの側壁１８Ａおよび１８Ｂ、ならびに頂壁２０Ａおよび底壁２０Ｂを含む。側壁１８Ａおよび１８Ｂの詳細を示すために、頂壁２０Ａおよび底壁２０Ｂは上面図に示されていない。側壁１８Ａおよび１８Ｂは外側に広がっている。いくつかの実装形態では、壁は外側へ直線的に広がってよい。図１の実装形態などの他の実装形態では、側壁１８Ａおよび１８Ｂは、２つの平面状の部分を有することができ、第１の平面状の部分２１Ａおよび２１Ｂは、ある割合で外側へ直線的に広がり、第２の平面状の部分２３Ａおよび２３Ｂは、別の割合で外側へ直線的に広がっている。他の実装形態では、これらのホーン壁が別々の形状を有してよい。例えば、これらの壁は、直線的に広がってよく、または指数曲線または円錐曲線などの連続曲線に従って外側に曲がってよい。さらに、側壁は、外へ非対称に広がってよい。口１７から、頂壁２０Ａが角度θで上方へ広がり、底壁２０Ｂが角度θで下方へ広がってよく、その結果、垂直の分散角は２θとなる。ホーンは、筺体２２の中に部分的に密封されてよく、側面図にのみ点線で示されている。以下で説明される理由のために、頂壁２４Ａと底壁２４Ｂは互いに非平行であり、また、頂壁２４Ａはホーンの頂部２０Ａと非平行であり、底壁２４Ｂはホーンの底部２０Ｂと非平行である。音響ドライバ１２およびダクト１６は、以下でより詳細に論じられる。筺体２２は、側壁または後壁を有してよいが、これらは本出願と密接な関係があるわけではなく、図には示されていない。
【００１０】
動作においては、音響ドライバが電気エネルギーを音響エネルギーに変換し、これが音響ホーンに導かれる。音響エネルギーは、スロート１３で音響ホーンに入り、制御および予測が可能な放射パターンで、ホーンの口１７から出る。
【００１１】
図２は、本明細書で用いられるいくつかの用語について説明するための、音響ダクト１６の概略図である。ダクト１６は、ダクト開口部の幾何学的中心を通り、且つ前記幾何学中心でダクト開口部に対して垂直である中心線２０２によって特徴づけられ得る。いくつかの実装形態では、ダクト開口部は実質的に平面状であり、その結果、中心線２０２はダクト開口部の平面に対して垂直である。図２では、ダクト１６はまっすぐで対称なものとして示されているが、実際の実装形態では１つまたは複数の軸のまわりで湾曲しており、非対称である。
【００１２】
高周波を含む周波数の全範囲を放射するために、且つ、音響エネルギーを、特に高周波数の音響エネルギーを、制御された予測可能な放射パターンで放射するために、ホーンを使用することが望ましい。しかし、高周波数では、対応する波長が音響ドライバの直径未満になり、個々の音響ドライバが、ホーンスピーカの放射パターンの予測および制御が困難な放射パターンを示す可能性がある。ホーン型スピーカに必要とされる音圧のレベルを放射するのに極めて多数の音響ドライバが必要になるので、小口径の音響ドライバを使用することは実用的でない。高振幅の高周波音響エネルギーを放射するのにしばしば使用される要素の１つに、回折溝がある。
【００１３】
回折溝を有するホーンスピーカでは、高周波数の放射が、音響ドライバによって放射され、いくつかの実装形態では、介在する音響ダクトを介して細長い回折溝を通る。細長い溝は、例えば３４．３ｃｍ（１３．５インチ）の高さを有し、例えば１．９１ｃｍ（０．７５インチ）の幅を有し、高さが幅の約１８倍である。回折溝は、水平方向において、音波が、ほぼ回折溝の幅（この場合１．９１ｃｍ）の直径を有する音響ドライバによってあたかも放射されたかのような挙動を示すように、音波を回折する。１．９１ｃｍの波長は、おおよそ１８ｋＨｚの周波数に相当する。
【００１４】
ホーン型スピーカは、高周波を放射するのに、しばしば圧縮ドライバおよび位相プラグを使用する。適切なタイプの圧縮ドライバと位相プラグの機構の１つが、その全体が参照により本明細書に組み込まれている、Ｗｅｎｄｅｌｌらの、「Ｅｌｅｃｔｒｏａｃｏｕｓｔｉｃ  Ｔｒａｎｓｄｕｃｉｎｇ  ｗｉｔｈ  Ｂｒｉｄｇｅｄ  Ｐｈａｓｅ  Ｐｌｕｇ」という名称の米国特許出願第１２／４９０４６３号に説明されている。一実装形態では、５．１ｃｍ（２インチ）のドームサイズを有する音響ドライバが、例えば１０．２ｃｍ（４インチ）の外径の筺体の中に密閉されており、２．５ｃｍ（１インチ）の出口直径を有する位相プラグの中に放射する。音響ドライバ、位相プラグ、および回折溝寸法のこの組合せにより、実用的な数の音響ドライバで高周波音響エネルギーを高振幅で放射することが可能になる。
【００１５】
ホーン型スピーカは、長い距離にわたって広大な領域に音響エネルギーを放射する必要がある大きな競技場または屋外の開催地などの大きな会場用のオーディオシステムにしばしば使用される。しばしば、放射しなければならない音響エネルギーの合計量は、単一のホーン型スピーカが放射することができるエネルギー量を超える。さらに、音を放射するべき領域が大きすぎて、実際には単一のホーンスピーカから放射することができないことがたびたびある。このような状況では、複数のホーン型スピーカが配列されてよい。一般的な配置の１つには、図３に示されるような「Ｊ」字形の構成がある。アレイのホーンスピーカは、美観のため、または損傷からホーンを保護するためにホーンの前面を覆うグリル１３０を有してよい。「Ｊ」字形の機構では、個々のホーンは、回折溝が整列するように配置されるのが望ましい。アレイにおいて、隣接したホーンスピーカの回折溝の間の分離を最小化することが望ましく、すなわち、換言すれば、アレイにおいて、１つのホーンスピーカの回折溝の上端とその上にある次のホーンスピーカの回折溝の下端の間の距離を最小化することが望ましい。
【００１６】
図５に最もよく見られるように、筺体の頂部２４Ａおよび底部２４Ｂは、ホーンを図４に示されるような角度で積み重ねることができるように、前部９０における筺体の高さを後部９２における高さより大きくして構成されてよい。典型的な角度φ（図５では大幅に誇張されている）は５度である。理解しやすいように、図５では、音響ドライバ１２、音響ダクト１６、およびスロート１３が省略されている。各ホーンが、角を成さないように（例えば「Ｊ」の直部で）積み重ねられる場合、図６に示されるように、１つのホーンの頂部が、上のホーンの底部と同一平面上にない可能性がある。筺体の底部２４Ｂの面がホーンの底部２０Ａの面と非平行であると、回折溝がホーンスピーカのキャビネットの全高まで延在しないので、アレイにおける１つのホーンスピーカの回折溝１４Ａの上端と上のスピーカの回折溝の下端との間に間隙３０が存在する。一般的ではないが、頂部と底部は平行である。この構成では、各ホーンが図７のように角を成して積み重ねられると、アレイの前部で、１つのホーンの頂部と上のホーンの底部との間に望ましくない間隙３１が存在し、１つの回折溝１４Ａの底部とアレイにおいて下のホーンスピーカの回折溝１４Ｂの頂部との間にさらに広い間隙が存在する。
【００１７】
図８Ａは、各音響ドライバから、結合された回折溝への音響の経路の長さが等しく、その結果、ダクトの中心線２０２が円弧２０４に対して垂直になるようにホーンが構成される別のホーン型スピーカの機構を示す。中心線２０２が円弧の中にあるようにダクトを配置すると、ホーンの（前の図の）頂壁２０Ａおよび（前の図の）底壁２０Ｂを、筺体の頂部２４Ａおよび底部２４Ｂと一致させることができ、便宜上、ホーンの頂部および底部ならびに筺体の頂部および底部は、どちらも参照番号２４Ａおよび２４Ｂによって参照されることになる。図８の２つのホーンスピーカを図９のように積み重ねると、回折溝１４Ａと１４Ｂの間の唯一の顕著な間隙は、１つのホーンスピーカの頂壁および上のホーンスピーカの底壁の厚さである。頂壁および底壁の典型的な厚さは１．３ｃｍ（０．５インチ）であり、その結果、間隙は約２．６ｃｍ（１．０インチ）となる。例えば音響ダクト１６の壁、マニホールド、またはブラケットなどの厚さと等しい他の間隙が存在し得る。音響ダクトの壁は、典型的には厚さが約３ｍｍ（０．１２インチ）であり、そのため、間隙は約６ｍｍ（０．２４インチ）である。１ｃｍ未満の間隙は、一般に放射パターンに顕著な量の影響を及ぼすことがなく、このため、１ｃｍ未満の間隙を有する回折溝または回折溝部分は、実質的に連続したものと見なされることになる。連続した回折溝を有する「Ｊ」字形のホーンアレイの形成など、様々なホーンスピーカアレイ構成に適合するために、さまざまな垂直の分散角を有するホーンスピーカを有するのが望ましい。例えば、図１０を参照して、各ホーンを互いに対して角度αで取り付けるのが望ましいが、図９のような垂直の分散角φを有するホーンしか入手できない場合、ホーンの間の望ましくない空間および回折溝の望ましくない間隙が生じることになる。さまざまな垂直の分散角を有するホーンを有することは、ホーン間の望ましくない空間なしに、および、回折溝の中の望ましくない間隙なしにアレイを形成することができる。例えば、図９の角度φは、５度、又はさらには０度（その結果、側面から見るとホーンが長方形になる）と同じくらい小さくすることができ、あるいは３０度以上に大きくすることができる。頂部および底部は同一の角度で広がってよく、その結果、筺体の頂部２４Ａと底部２４Ｂを組み合わせた広がりは２φ度となる。ホーンの（前の図の）頂壁２０Ａおよび（前の図の）底壁２０Ｂが、筺体の頂部２４Ａおよび底部２４Ｂでもあるため、頂部と底部を組み合わせた広がりはホーンの垂直の分散角と同一である。ホーンは、任意の垂直の分散をもたらすことができるように構成することができ、または角度を例えば５度もしくは１０度の増分で漸増的に変化させてよい。
【００１８】
図８Ｂは、図８Ａのホーンスピーカのいくつかの特徴を示す。ライン２０４Ａ〜２０４Ｄは、単一の連続した回折溝を形成するように配置された４つの音響モジュールのダクトを表す。ダクトのそれぞれが、それぞれ中心線２０２Ａ〜２０２Ｄを有する。中心線は、円２０６の一部分である円弧に対して垂直である。中心線は、ポイント２０８において角度μで交差する。交点２０８から回折溝の一端へのライン２１０と、交点２０８から回折溝の他端へのライン２１２とは、角度ＶＤで交差し、この角度はホーンスピーカの垂直の分散角である。図解が理解しやすいように、４つの音響モジュールを有する音響ホーンが示されており、垂直の分散角ＶＤが、一般的な分散角よりはるかに大きくなっている。ライン２０４Ａ〜２０４Ｄは、音響ダクトの出口端の開口の面も表す。これらの面は角度Ｐで交差する。垂直の分散角を変更するためにダクトを再配置すると、角度Ｐも変化する。
【００１９】
大きな垂直の分散角を有する図８によるホーンスピーカに関する困難は、音響ダクトの出口が円弧に対して垂直になるように音響ドライバ及び音響ダクトの組立体が配置されると、音響ドライバおよび／または音響ダクトが垂直にオーバラップする可能性があることである。その場合、音響ダクトおよび音響ドライバは、図１１に示されるように水平に変位される可能性がある。これは、音響ダクトおよび音響ドライバが水平に変位していなければあり得ないような大きな垂直の分散角に対して、頂壁２０Ａおよび底壁２０Ｂが頂壁２４Ａおよび底壁２４Ｂと一致することを許容する。
【００２０】
Ｙ方向に延在するまっすぐな音響ダクトを使用すると、ホーンスピーカが、所望より大きな深さを有する可能性がある。その場合、図１２に示すように、音響ダクトが曲げられてよい。いくつかの実装形態では、この湾曲は、音響ドライバの１つまたは複数が、部分的にまたは全体的に、スロート１３の前方に来るまで延在してよい。このことは、全体の組立体の深さを縮小することに加えて、音響ドライバを、より垂直の余地がある位置に移動させるという利点があり、より大きな外径を有するドライバを使用することが可能になる。
【００２１】
より多くの音響エネルギーを供給するために、より多くの音響ドライバを付加することができ、ダクトはホーンのスロートで、またはホーンのスロートの前で合流する。例えば、図１３は、２つの音響ドライバ１２Ａおよび１２Ｂが、それぞれ音響ダクト１６Ａおよび１６Ｂと音響的に結合されているホーンスピーカを示す。音響ダクトの出口端は、音響ドライバ１２Ａおよび１２Ｂによって放射される合併した音響エネルギーが、回折溝を通ってホーンの中へ、１つの音響ドライバからの音響エネルギーが図１などの構成の回折溝を通ってホーンの中に放射されるほぼ同一の垂直の空間に放射されるように、音響ドライバとスロート１３の間の位置で合流する。
【００２２】
残りの図は、図１〜図１３の要素を組み込むホーンスピーカの実際の実装形態を示す。続く図では、同じ参照番号は、図１〜図１３における対応する要素を指す。
【００２３】
図１４は、音響ドライバ１２Ａおよび音響ダクト１６Ａを含む第１のモジュール式組立体１２０Ａと、音響ドライバ１２Ｂおよび音響ダクト１６Ｂを含む第２のモジュール式組立体１２０Ｂとを示す。モジュール１２０Ａと１２０Ｂは、Ｙ軸のまわりで非対称である。音響ダクトは、図１２のように湾曲している。モジュール式組立体１２０Ｂは、モジュール式組立体１２０Ａと実質的に同一であるが、第２のモジュール式組立体１２０Ｂは、モジュール式組立体１２０Ａの配向に対して、Ｙ軸のまわりで１８０度回転されている。各ダクトの出口端の開口は、約５．７ｃｍ（２．２５インチ）の高さおよび約１．９ｃｍ（０．７５インチ）の幅を有する。
【００２４】
モジュール式組立体１２０Ａおよび１２０Ｂは、出口端が延長の方向に整列されるように、且つ、取付け板すなわち「キール」に取り付けることによってその位置に保持されるように配置されており、図１６、図２０、図２１、および図２３において最も明瞭に見られる。出口端開口の延長の方向における組み合わせた寸法は、およそ２×５．７ｃｍ＝１１．４ｃｍである。ホーンスピーカを形成するために、ホーンのスロートに音響的に結合することができる音響組立体を形成するように、追加のモジュール式組立体が同様に整列され得る。一実装形態では、６つのモジュール式組立体が図１４に示されるように整列され、出口端は図８のように配置される。そこで、延長の方向における組み合わせた寸法は、およそ６×５．７ｃｍ＝３４．２ｃｍであり、幅は約１．９ｃｍのままである。６つのモジュール式組立体は、ホーンスピーカを形成するために、音響ホーンのスロートに対して機械的かつ音響的に結合することができる。結合された出口端開口は、音響ホーン用の回折溝として動作する。音響ダクトの出口端１２０Ａおよび１２０Ｂは、ホーン壁とはめ合わせるのを容易にするための垂直フランジ６８Ａおよび６８Ｂを有してよく、以下で説明するように、回折溝を形成するために、他の音響ダクトとはめ合わせるのを容易にするための水平フランジ６６Ａおよび６６Ｂを有してよい。
【００２５】
モジュール式組立体１２０Ａおよび１２０Ｂなどのモジュール式組立体は、部品の多くに標準的なものを用いて、広範囲の水平の分散角および垂直の分散角を有するホーンスピーカを提供することができるので有利である。音響ドライバ１２Ａおよび音響ダクト１６Ａを含む組立体１２０Ａならびに音響ドライバ１２Ｂおよび音響ダクト１６Ｂを含む組立体１２０Ｂは標準的なものであり、頂壁２４Ａおよび底壁２４Ｂ、ならびに（図２４の）バス筺体８２Ａおよび８２Ｂと（図２４の）ウーファドライバ８６とを含む図２４のバスモジュール８０Ａおよび８０Ｂも標準的なものである。ホーンごとに異なるのは、側壁１８Ａおよび１８Ｂ、キール５６（図１６、図２０、図２１、および図２３に最も明瞭に見られる）ならびに（図２４の）サイドブラケット５７のみである。
【００２６】
図１５は、図１３の音響ダクトに類似の構成における２つの音響ドライバ（この図には示されていない）用の取付け板１１２Ａおよび１１２Ｂを有するモジュール式組立体を示す。図１５に示されたものなどのモジュール式組立体は、図１４のモジュール式組立体１２０Ａおよび１２０Ｂと同じやり方で配置することができる。
【００２７】
図１６および図１７は、それぞれ、６つの音響ドライバ１２Ａ〜１２Ｆと６つの音響ダクト１６Ａ〜１６Ｆとの組立体の正面図および背面図を示す。音響ダクト１６Ａ〜１６Ｆの出口は、回折溝１４を形成するために整列される。音響ダクトは、キール５６によって、所定の位置に位置決めされ、かつ保持される。キール５６は、音響ダクトの出口を円弧に対して垂直に配向し、音響モジュールを所望の位置および方向に保持する。空気流漏洩または空気流擾乱を防止するために、１つの音響ダクトの下端と下の音響ダクトの上端との間にガスケット（この図では確認されない）が設置されてよい。
【００２８】
図１８Ａ〜図１８Ｅは、ホーンスピーカを形成するためにホーンのスロートにはめ合わせる音響組立体１５０を形成するように配置された６つのモジュール式組立体１２０Ａ〜１２０Ｆの側面図を示す。図１８Ａは、５度の垂直の分散角を有する音響ドライバと音響ダクト組立体の配向を示し、円弧の曲線はほとんど認められず、音響ドライバ１２Ａ〜１２Ｆの間に適度な垂直のオーバラップがある。図１８Ｂ〜図１８Ｅは、それぞれ１０度、２０度、４０度、および６０度の垂直の分散角を有する音響ドライバと音響ダクトの組立体の配向を示す。円弧の曲線がより明白であり、音響ドライバ１４Ａ〜１４Ｆの間に顕著な垂直のオーバラップがある。
【００２９】
図１９Ａおよび図１９Ｂは、図１８Ａ〜図１８Ｅの音響組立体に類似の、それぞれ５度および６０度の垂直の分散角を有する音響組立体の前部の等角斜視図を示す。図１９Ａおよび図１９Ｂは、音響ダクトの出口端における開口が整列して、弓形の回折溝１４を形成する様子を示す。図１９Ａでは円弧がほとんど認められず、図１９Ｂでは円弧がより明白である。
【００３０】
図２０および図２１は、それぞれ、ホーン側壁１８Ａおよび１８Ｂを有する図１９Ａおよび図１９Ｂによる音響ドライバと音響ダクトの組立体の上面図および背部の等角斜視図を示す。この組立体では、ホーン側壁１８Ａおよび１８Ｂは平面状でなく、いくらかの湾曲を有するため、図１９Ａの上面図では側壁の表面の一部分が見える。側壁１８Ａおよび１８Ｂを示すために、この図から頂壁および底壁が省略されている。この図では、側壁１８Ａおよび１８Ｂは、Ｘ−Ｙ面において対称に広がって示されている。いくつかの実装形態では、側壁が、Ｘ−Ｙ面において非対称的に広がってもよい。図２０では、音響ドライバのうちのいくつか、および音響ダクトのうちのいくつかが見えない。
【００３１】
図２２は、１２個の音響ドライバを含む組立体を示す。この図では、６つの音響ドライバ１２Ａ〜１２Ｆが見られ、第７の音響ドライバ１２Ｇは部分的に不明瞭であり、残り５つの音響ドライバが隠されている。図２２の実装形態では、１２の音響ドライバが６つの対で配置されている。図１３および図１５によれば、音響ドライバの各対が、音響ダクト１６Ａ〜１６Ｆに音響的に結合されている。音響ドライバのそれぞれ（例えば音響ドライバ１２Ａ）の一部分は、ホーンのスロート１３に配置された回折溝の前方である。図２２のホーンは、米国特許出願第１２／５５７，８８５号に従って形成されている。類似の音響ドライバと音響ダクトの配置構成を、本明細書によるホーンを用いて実施することができる。
【００３２】
図２３は、４０度の垂直の分散角をもたらすように角を成した筺体の頂壁２４Ａ及び底壁２４Ｂ（これらは、図８の議論で説明したように、ホーンの頂壁および底壁でもある）を有する、図２０および図２１の組立体の前部の等角斜視図を示す。図２３では、キール５６の先端７０の曲線が見られる。頂壁２４Ａおよび底壁２４Ｂは、キール５６の端に機械的に固定されてよい。筺体２２には側面も裏面もなく、垂直の分散角にかかわらず、頂壁２４Ａおよび底壁２４Ｂ用に同一部品を使用することができる。ホーン側壁１８Ａおよび１８Ｂは、キール５６に対して機械的に締結し、側壁の上端および下端を頂部２４Ａおよび底部２４Ｂの溝７４の中に挿入することにより、所定の位置に保持されてよい。
【００３３】
図２４は、バスモジュール８０Ａおよび８０Ｂを有する図２３の組立体を示す。バスモジュール８０Ａおよび８０Ｂは、ポート８４を有するバス筺体８２に取り付けられた公称２５．４ｃｍ（１０インチ）のウーファドライバ８６を含んでよい。バスモジュールは、サイドブラケット５７に機械的に固定されてよく、サイドブラケット５７は、頂壁２４Ａおよび底壁２４Ｂに機械的に固定されてよい。図２３の組立体により、広範囲の垂直の分散角および水平の分散角を有し、すべての垂直の分散角および水平の分散角に関して多くの部品が標準品であって、製造工程の変化が最小限のホーンスピーカが提供され得る。例えば、頂壁２４Ａ、底壁２４Ｂ、音響ドライバ、音響ダクトおよびバスモジュールは、すべて標準品でよい。垂直の分散角を変化させるために変更しなければならないのは、キール５６、サイドブラケット５７、ならびにホーン側壁１８Ａおよび１８Ｂのみである。水平の分散角は、溝７４の方向を変化させることにより変更することができる。すべてのホーンスピーカに関して、組立て工程は、垂直または水平の分散角にかかわらず実質的に同一である。
【００３４】
本明細書に開示された特定の装置および技法の多数の利用およびこれらからの離脱が、本発明概念から逸脱することなく行なわれ得る。したがって、本発明は、本明細書に開示された斬新な特徴と、特徴の斬新な組合せとの、各々および全てを包含し、添付の特許請求の範囲の趣旨および範囲によってのみ限定されるものと解釈されるべきである。
【符号の説明】
【００３５】
１０  ホーン型スピーカ
１２  音響ドライバ
１２Ａ  音響ドライバ
１２Ｂ  音響ドライバ
１２Ｃ  音響ドライバ
１２Ｄ  音響ドライバ
１２Ｅ  音響ドライバ
１２Ｆ  音響ドライバ
１２Ｇ  音響ドライバ
１３  スロート
１４  回折溝
１４Ａ  回折溝
１４Ｂ  回折溝
１５  音響ホーン
１６  音響ダクト
１６Ａ  音響ダクト
１６Ｂ  音響ダクト
１６Ｃ  音響ダクト
１６Ｄ  音響ダクト
１６Ｅ  音響ダクト
１６Ｆ  音響ダクト
１６Ｇ  音響ダクト
１７  口
１８Ａ  側壁
１８Ｂ  側壁
２０Ａ  頂壁
２０Ｂ  底壁
２１Ａ  第１の平面状の部分
２１Ｂ  第１の平面状の部分
２２  筺体
２３Ａ  第２の平面状の部分
２３Ｂ  第２の平面状の部分
２４Ａ  頂壁
２４Ｂ  底壁
２８  矢印
３０  間隙
３１  間隙
５６  キール
５７  サイドブラケット
６６Ａ  水平フランジ
６６Ｂ  水平フランジ
６８Ａ  垂直フランジ
６８Ｂ  垂直フランジ
７０  キールの先端
７４  溝
８０Ａ  バスモジュール
８０Ｂ  バスモジュール
８２Ａ  バス筺体
８２Ｂ  バス筺体
８４Ａ  ポート
８４Ｂ  ポート
８６Ａ  ウーファドライバ
８６Ｂ  ウーファドライバ
９０  筺体の前部
９２  筺体の後部
１１２Ａ  取付け板
１１２Ｂ  取付け板
１２０Ａ  モジュール式組立体
１２０Ｂ  モジュール式組立体
１３０  グリル
１５０  音響組立体
２０２  中心線
２０２Ａ  中心線
２０２Ｂ  中心線
２０２Ｃ  中心線
２０２Ｄ  中心線
２０４Ａ  ライン
２０４Ｂ  ライン
２０４Ｃ  ライン
２０４Ｄ  ライン
２０６  円
２０８  交点
２１０  ライン
２１２  ライン
【図３】
2013542463.tif 000003
【図４】
2013542463.tif 000004
【図５】
2013542463.tif 000005
【図６】
2013542463.tif 000006
【図７】
2013542463.tif 000007
【図８Ａ】
2013542463.tif 000008
【図８Ｂ】
2013542463.tif 000009
【図９】
2013542463.tif 000010
【図１０】
2013542463.tif 000011
【図１４】
2013542463.tif 000012
【図１５】
2013542463.tif 000013
【図１６】
2013542463.tif 000014
【図１７】
2013542463.tif 000015
【図１８Ａ】
2013542463.tif 000016
【図１８Ｂ】
2013542463.tif 000017
【図１８Ｃ】
2013542463.tif 000018
【図１８Ｄ】
2013542463.tif 000019
【図１８Ｅ】
2013542463.tif 000020
【図１９Ａ】
2013542463.tif 000021
【図１９Ｂ】
2013542463.tif 000022
【図２０】
2013542463.tif 000023
【図２１】
2013542463.tif 000024
【図２２】
2013542463.tif 000025
【図２３】
2013542463.tif 000026
【図２４】
2013542463.tif 000027
【図１】
2013542463.tif 000028
【図２】
2013542463.tif 000029
【図１１】
2013542463.tif 000030
【図１２】
2013542463.tif 000031
【図１３】
2013542463.tif 000032
【国際調査報告】
2013542463.tif 000033
2013542463.tif 000034
2013542463.tif 000035